(57)【要約】【課題】商品説明部材との連結を容易に行うことができ、作業性の良い陳列用シート及び該陳列用シートを備える陳列用吊り具を提供する。【解決手段】複数の商品を吊下げる縦長帯状の吊下げ部２を有する陳列用シート１において、吊下げ部２の上端部に吊下げ部２の幅方向の両側に係合部４，４が連設してある。係合部４，４を商品説明部材に設けられたスリットに夫々係合させることにより、容易に陳列用シート１と商品説明部材とを連結することができ、陳列用シート１の取付けの作業性を向上することができる。【選択図】図１
2009201807.tif 000002
【特許請求の範囲】
【請求項１】
複数の商品を吊下げる縦長帯状の吊下げ部を有する陳列用シートにおいて、前記吊下げ部の上端部に該吊下げ部の幅方向の両側に連設された係合部を有してなることを特徴とする陳列用シート。
【請求項２】
前記係合部は、前記吊下げ部と離隔した位置から下方向に突設された突設部を有することを特徴とする請求項１記載の陳列用シート。
【請求項３】
前記吊下げ部には、前記上端部の側が開口されたＵ字形を有する第１スリットと、該第１スリットの内側に設けられ、前記第１スリットと逆側が開口されたＵ字形を有する第２スリットとからなり、前記商品を掛止することができる掛止部が、前記吊下げ部の長手方向に並設してあることを特徴とする請求項１又は請求項２に記載の陳列用シート。
【請求項４】
商品を吊下げて陳列する陳列用シートと、該陳列用シートの上端部に取付けられ、支持部材に掛止することができる掛止部材とを備える陳列用吊り具において、前記陳列用シートは請求項１から３の何れか１つに記載の陳列用シートであり、前記掛止部材には上下方向に延びる２つのスリットが並設してあり、該スリットに前記係合部を係合させることにより前記陳列用シート及び掛止部材を連結してあることを特徴とする陳列用吊り具。
【請求項５】
前記スリットの長さは、前記係合部の上下方向の最大長さよりも短いことを特徴とする請求項４に記載の陳列用吊り具。
【請求項６】
前記掛止部材には、掛止用の孔が少なくとも一つ設けてあることを特徴とする請求項４又は請求項５に記載の陳列用吊り具。
【発明の詳細な説明】
【技術分野】
【０００１】
本発明は、複数の商品を吊下げて陳列する陳列用シート及び該陳列用シートを備える陳列用吊り具に関する。
【背景技術】
【０００２】
スーパーマーケット、電器店等の店舗において、小型又は軽量の商品は、一般に、水平方向に突設された棒状ハンガーに吊下げられて陳列してある。そして、複数の商品を吊下げることができる陳列用吊り具が種々提案されている（例えば、特許文献１参照）。
【０００３】
特許文献１に開示された陳列用吊り具１０１は、縦長帯状のシート１０２を備えてなり、該シート１０２には切り込みを入れて形成した複数の掛止部１０３，１０３…がシート１０２の長手方向に並設してある（図８参照）。この掛止部１０３，１０３…に商品を引掛けて保持することにより、複数の商品がシート１０２に吊下げられて陳列されることになる。この陳列用吊り具１０１は、シート１０２の上端部に孔１２２が設けてあり、該孔１２２に棒状ハンガーを挿通させることにより、陳列用吊り具１０１を棒状ハンガーに吊下げるようにしてある。
【特許文献１】意匠登録第９８４６１９号公報
【発明の開示】
【発明が解決しようとする課題】
【０００４】
ところで、陳列用吊り具は、陳列された商品の名称、シンボル、説明等が表記された商品説明部材を有することが、客の便宜上、望ましい。特許文献１に開示された陳列用吊り具１０１においては、例えば図９（ａ）に示す如く、シート１０２及び商品説明部材１０５に略同一形状の孔１２２，１５２を夫々設け、図９（ｂ）に示す如く、シート１０２と商品説明部材１０５とを、孔位置を合わせた状態にて、ハトメ１５５により固定して連結することが考えられる。
【０００５】
ところが、このような陳列用吊り具においては、シート１０２と商品説明部材１０５とを連結するために、ハトメ１５５等の連結部品を用い、この連結部品の間にシート１０２及び商品説明部材１０５を挟み、工具を用いて連結部品を押圧する作業が必要となり、作業性が良くないという問題があった。
【０００６】
本発明は斯かる事情に鑑みてなされたものであり、主たる目的は、複数の商品を吊下げる縦長帯状の吊下げ部の上端部に該吊下げ部の幅方向の両側に係合部を連設させることにより、商品説明部材との連結を容易に行うことができ、作業性の良い陳列用シートを提供することにある。
【０００７】
また他の目的は、係合部に吊下げ部と離隔した位置から下方向に突設させて突設部を形成することにより、係合部の突設部により陳列用シートを商品説明部材から外れにくくすることができる陳列用シートを提供することにある。
【０００８】
また他の目的は、吊下げ部に、該吊下げ部の上端部の側が開口されたＵ字形を有する第１スリットと、該第１スリットの内側に設けられ、前記第１スリットと逆側が開口されたＵ字形を有する第２スリットとからなる掛止部を吊下げ部の長手方向に並設することにより、陳列用のスペースを有効利用しつつ、商品が落下することを防止することができる陳列用シートを提供することにある。
【０００９】
また他の目的は、商品を吊下げて陳列する陳列用シートの上端部に取付けられ、支持部材に掛止することができる掛止部材（商品説明部材）に、上下方向に延びる２つのスリットを並設し、該スリットに陳列用シートの係合部を係合させることにより、簡単な作業により容易に陳列用シート及び商品説明部材を連結することができる陳列用吊り具を提供することにある。
【００１０】
また他の目的は、係合部の上下方向の最大長さよりも短い長さのスリットを設けることにより、陳列用シートを商品説明部材から外れにくくすることができる陳列用吊り具を提供することにある。
【００１１】
また他の目的は、掛止部材に少なくとも一つ掛止用の孔を設けることにより、簡単な構成にて支持部材に吊下げることができる陳列用吊り具を提供することにある。
【課題を解決するための手段】
【００１２】
本発明に係る陳列用シートは、複数の商品を吊下げる縦長帯状の吊下げ部を有する陳列用シートにおいて、前記吊下げ部の上端部に該吊下げ部の幅方向の両側に連設された係合部を有してなることを特徴とする。
【００１３】
この発明にあっては、複数の商品を吊下げる縦長帯状の吊下げ部の上端部に該吊下げ部の幅方向の両側に係合部が連設してあり、例えば、商品説明部材を適切に形成することにより、係合部を商品説明部材の一部に係合させて、陳列用シートと商品説明部材との連結を容易に行うことができ、陳列用シートの取付けの作業性を向上することができる。
【００１４】
本発明に係る陳列用シートは、前記係合部は、前記吊下げ部と離隔した位置から下方向に突設された突設部を有することを特徴とする。
【００１５】
この発明にあっては、係合部に吊下げ部と離隔した位置から下方向に突設させて突設部を形成しており、例えば、商品説明部材を適切に形成することにより、係合部を商品説明部材の一部に係合させたときに、係合部の突設部により陳列用シートを商品説明部材から外れにくくすることができる。
【００１６】
本発明に係る陳列用シートは、前記吊下げ部には、前記上端部の側が開口されたＵ字形を有する第１スリットと、該第１スリットの内側に設けられ、前記第１スリットと逆側が開口されたＵ字形を有する第２スリットとからなり、前記商品を掛止することができる掛止部が、前記吊下げ部の長手方向に並設してあることを特徴とする。
【００１７】
この発明にあっては、吊下げ部に、該吊下げ部の上端部の側が開口されたＵ字形を有する第１スリットと、該第１スリットの内側に設けられ、前記第１スリットと逆側が開口されたＵ字形を有する第２スリットとからなる掛止部を吊下げ部の長手方向に並設してある。商品が封入された袋の上部を第１スリットに差し込み、該袋の上部に設けられた孔に、第２スリットにより切り出される舌状の掛止片を挿通させることにより、商品が吊下げ部に掛止される。第１スリットにより切り出される舌状の押え片の復元力により前記袋が前面から押さえつけられることになるから、客が接触した場合に、商品が陳列用シートから落下することを防止することができる。また、押え片により袋が前面から押さえつけてあるから、袋の一部が重なり合うように商品を陳列した場合にも商品が陳列用シートから落下し難く、掛止部の間隔を狭くして、陳列用のスペースを有効利用することができる。
【００１８】
本発明に係る陳列用吊り具は、商品を吊下げて陳列する陳列用シートと、該陳列用シートの上端部に取付けられ、支持部材に掛止することができる掛止部材とを備える陳列用吊り具において、前記陳列用シートは第１発明から第３発明の何れか一つに係る陳列用シートであり、前記掛止部材には上下方向に延びる２つのスリットが並設してあり、該スリットに前記係合部を係合させることにより前記陳列用シート及び掛止部材を連結してあることを特徴とする。
【００１９】
この発明にあっては、商品を吊下げて陳列する陳列用シートの上端部に取付けられ、支持部材に掛止することができる掛止部材（商品説明部材）に、上下方向に延びる２つのスリットを並設し、該スリットに第１発明から第３発明の何れか一つに係る陳列用シートの係合部を係合させて、陳列用シート及び商品説明部材を連結しており、スリットに係合部を係合させるという簡単な作業により容易に連結することができる。
【００２０】
本発明に係る陳列用吊り具は、前記スリットの長さは、前記係合部の上下方向の最大長さよりも短いことを特徴とする。
【００２１】
この発明にあっては、掛止部材（商品説明部材）に、係合部の上下方向の最大長さよりも短い長さのスリットを設けているから、陳列用シートを商品説明部材から外れにくくすることができる。
【００２２】
本発明に係る陳列用吊り具は、前記掛止部材には、掛止用の孔が少なくとも一つ設けてあることを特徴とする。
【００２３】
この発明にあっては、掛止部材（商品説明部材）に少なくとも一つ掛止用の孔を設けており、孔を設けるという簡単な構成により支持部材に陳列用吊り具を吊下げることができる。
【発明の効果】
【００２４】
本発明によれば、吊下げ部の幅方向の両側に係合部を連設させているから、例えば、商品説明部材の一部に係合部を係合させることにより、陳列用シートと商品説明部材との連結を容易に行うことができ、陳列用シートの取付けの作業性を向上することができる。
【００２５】
また、本発明によれば、係合部に吊下げ部と離隔した位置から下方向に突設させて突設部を形成しているから、例えば、係合部を商品説明部材の一部に係合させたときに、係合部の突設部により陳列用シートを商品説明部材から外れにくくすることができる。
【００２６】
また、本発明によれば、吊下げ部に、該吊下げ部の上端部の側が開口されたＵ字形を有する第１スリットと、該第１スリットの内側に設けられ、前記第１スリットと逆側が開口されたＵ字形を有する第２スリットとからなる掛止部を吊下げ部の長手方向に並設しているから、陳列用のスペースを有効利用しつつ、客が接触した場合においても、商品が陳列用シートから落下することを防止することができる。
【００２７】
また、本発明によれば、陳列用シートの上端部に取付けられ、支持部材に掛止することができる掛止部材（商品説明部材）に、上下方向に延びる２つのスリットを並設し、該スリットに第１発明から第３発明の何れか一つに係る陳列用シートの係合部を係合させて、陳列用シート及び商品説明部材を連結しているから、スリットに係合部を係合させるという簡単な作業により容易に連結することができる。
【００２８】
また、本発明によれば、掛止部材（商品説明部材）に、係合部の上下方向の最大長さよりも短い長さのスリットを設けているから、陳列用シートを商品説明部材から外れにくくすることができる。
【００２９】
また、本発明によれば、掛止部材（商品説明部材）に少なくとも一つ掛止用の孔を設けているから、孔を設けるという簡単な構成により支持部材に陳列用吊り具を吊下げることができる。
【発明を実施するための最良の形態】
【００３０】
以下、本発明をその実施の形態を示す図面に基づいて詳述する。図１は、本発明に係る陳列用シートの正面図であり、図２は、陳列用シートの部分拡大図である。
【００３１】
図において１は、商品を吊下げて陳列する陳列用シートであり、陳列用シート１は、ポリエチレン製、ポリプロピレン製及びポリ塩化ビニル製等、弾力性が高い合成樹脂製である。陳列用シート１は、細長い矩形状である縦長帯状の吊下げ部２を有している。
【００３２】
吊下げ部２には、複数（図において１０個）の掛止部３，３…が上下方向に並設してある。掛止部３，３…は、吊下げ部２の上端部の側が開口されたＵ字形を有する第１スリット３１，３１…と、該第１スリット３１，３１…の内側に設けられ、第１スリット３１，３１…と逆側が開口されたＵ字形を有する第２スリット３２，３２…とを備えている。第１スリット３１，３１…により切り出される舌状の押え片３１ａ，３１ａ…及び第２スリット３２，３２…により切り出される舌状の掛止片３２ａ，３２ａ…は、弾力性が高い合成樹脂製であるから、力を加えることにより容易に曲がり、加えられた力がなくなると、復元力により元の位置に戻る。
【００３３】
また、吊下げ部２の長手方向の略中央には、ミシン目２１が吊下げ部２の全幅に亘って形成してある。吊下げ部２には、該吊下げ部２の上端部及びミシン目２１の近傍の吊下げ部２の幅方向の略中央に円形の孔２２，２３が夫々設けてある。
【００３４】
吊下げ部２の上端部には、後述する商品説明部材と係合する係合部４，４が、吊下げ部２の幅方向の両側に連設してある。係合部４，４は、図２に示すように、吊下げ部２と離隔した位置から下方向に突設された突設部４１，４１を有している。
【００３５】
このように構成された陳列用シート１の上端部には、商品説明部材が取付けられる。図３は、陳列用シート１及び商品説明部材の連結方法の説明図であり、図４は、陳列用シート１と商品説明部材とを備えてなる陳列用吊り具の正面図である。
【００３６】
商品説明部材５は、図に示すように、略矩形板状を有しており、例えば、紙製である。商品説明部材５の一面には、陳列用シート１に吊下げられる商品の名称、シンボル、説明等が表記してある。
【００３７】
商品説明部材５の対向する２辺の端部の略中央には、円形の孔５１，５２が夫々設けてある。一方の孔５２の両側には、同方向に延びる矩形状の２つのスリット５３，５３が並設してある。なお、該孔５２は陳列用シート１に設けられた孔２２と略同一直径になるように形成してある。また、スリット５３，５３の長さＬ１は、陳列用シート１の突設部４１，４１における該陳列用シート１の長手方向の長さＬ２よりも短くしてある（Ｌ１＜Ｌ２）。
【００３８】
このような商品説明部材５と陳列用シート１とを、図３（ａ）に示す如く、商品説明部材５及び陳列用シート１夫々に設けられた孔５１，５２，２２が略一列に並ぶ方向に配する。次に、図３（ｂ）に示す如く、商品説明部材５に設けられたスリット５３，５３に、陳列用シート１に設けられた係合部４，４を指で曲げつつ挿通させ、係合部４，４から指を離す。係合部４，４に加えられた力がなくなることにより、係合部４，４が復元力により元の位置に戻り、商品説明部材５及び陳列用シート１が連結されることになる。同様に係合部４，４を曲げつつ押し戻すことにより、容易に商品説明部材５と陳列用シート１とを分離することができる。
【００３９】
陳列用シート１と商品説明部材５とを備えてなる陳列用吊り具は、商品説明部材５に設けられた孔５１，５２のうち、どちらか一方を用いて支持部材に掛止される。図５は、陳列用吊り具の使用状態の一例を示す正面図である。図６は、陳列用吊り具の使用状態の一例を示す背面図であり、図７は、陳列用吊り具の使用状態の一例を示す側面図である。
【００４０】
図５に示すように、各商品は袋６の内部に封入してある。袋６の上端部中央には、略楕円形の孔６１が設けてある。この商品が封入された袋６の上部を第１スリット３１に差し込み、第２スリット３２により切り出される舌状の掛止片３２ａを袋６の上部に設けられた孔６１に挿通させることにより、商品が吊下げ部２に掛止される。袋６は、第１スリット３１により切り出される舌状の押え片３１ａの復元力により袋６が前面から押さえつけられることになるから、客が接触した場合に、商品が陳列用シート１から落下することを防止することができる。また、押え片３１ａにより袋６が前面から押さえつけてあるから、袋６の一部が重なり合うように商品を陳列した場合にも商品が陳列用シート１から落下し難く、掛止部３，３…の間隔を狭くして、陳列用のスペースを有効利用することができる。
【００４１】
このような陳列用吊り具は、図示の如く、商品説明部材５の上端部に設けられた孔５１に通した紐７を介して、壁８０から水平方向に突設された棒状ハンガー（支持部材）８に掛止される。
【００４２】
以上のように構成された陳列用シート１においては、複数の商品を吊下げる縦長帯状の吊下げ部２の上端部に吊下げ部２の幅方向の両側に連設された係合部４，４を商品説明部材５に設けられた上下方向に延びる２つのスリット５３，５３に夫々係合させることにより、容易に陳列用シート１と商品説明部材５とを連結することができ、陳列用シート１の取付けの作業性を向上することができる。陳列用シート１と商品説明部材５とを連結した状態において、係合部４，４を曲げつつ押し戻すことにより、容易に商品説明部材５と陳列用シート１とを分離することができる。
【００４３】
また、陳列用シート１の係合部４，４に吊下げ部２と離隔した位置から下方向に突設させた突設部４１，４１を形成しているから、陳列用シート１と商品説明部材５とを連結した状態において、例えば、客が商品を取り外す際に陳列シート１に力が加わった場合、商品説明部材５に設けられたスリット５３，５３の縁に突設部４１，４１が引掛り、陳列用シート１を商品説明部材５から外れにくくすることができる。商品説明部材５のスリット５３，５３の長さＬ１を、係合部４，４の上下方向の最大長さ、即ち突設部４１，４１における上下方向長さＬ２よりも短くしているから、さらに陳列用シート１を商品説明部材５から外れにくくすることができる。
【００４４】
陳列用シート１の吊下げ部２に、吊下げ部２の上端部の側が開口されたＵ字形を有する第１スリット３１，３１…と、第１スリット３１，３１…の内側に設けられ、第１スリット３１，３１…と逆側が開口されたＵ字形を有する第２スリット３２，３２…とからなる掛止部３を吊下げ部２の長手方向に並設してあるから、前述した如く、商品が封入された袋６を掛止部３に掛止したときに、第１スリット３１，３１…により切り出される舌状の押え片３１ａ，３１ａ…の復元力により袋６が前面から押さえつけられることになるから、陳列用のスペースを有効利用しつつ、客が接触した場合においても、商品が陳列用シート１から落下することを防止することができる。
【００４５】
商品説明部材５に掛止用の孔５１，５２を設けるという簡単な構成により、棒状ハンガー８に陳列用吊り具を吊下げることができる。
【００４６】
なお、本実施の形態において、掛止部材は陳列される商品の名称、シンボル、説明等が表記された商品説明部材５であるとしたが、これに限定されず、陳列用シート１の上端部に取付けることができ、支持部材に掛止することができるものであればよい。掛止部材の形状は、矩形板状に限定されず、円板状、多角形状等の種々の形状がありうる。
【００４７】
また、本実施の形態においては、陳列用吊り具は、商品説明部材５の上端部に設けられた孔５１に通した紐７を介して、棒状ハンガー８に掛止してあるが、これに限定されず、直接、孔５１に棒状ハンガー８を挿通させて掛止してもよいし、商品説明部材５の下端部に設けられた孔５２に棒状ハンガー８を挿通させて掛止してもよい。
【００４８】
さらに、本発明は、特許請求の範囲に記載した事項の範囲内において種々変更した形態にて実施することが可能であることは言うまでもない。
【図面の簡単な説明】
【００４９】
【図１】本発明に係る陳列用シートの正面図である。
【図２】陳列用シートの部分拡大図である。
【図３】陳列用シート及び商品説明部材の連結方法の説明図である。
【図４】陳列用シートと商品説明部材とを備えてなる陳列用吊り具の正面図である。
【図５】陳列用吊り具の使用状態の一例を示す正面図である。
【図６】陳列用吊り具の使用状態の一例を示す背面図である。
【図７】陳列用吊り具の使用状態の一例を示す側面図である。
【図８】特許文献１に記載の従来の陳列用シートの正面図である。
【図９】陳列用シート及び商品説明部材の連結方法の説明図である。
【符号の説明】
【００５０】
１  陳列用シート
２  吊下げ部
３  掛止部
３１  第１スリット
３２  第２スリット
４  係合部
４１  突設部
５  商品説明部材（掛止部材）
５１，５２  孔
５３  スリット
【図１】
2009201807.tif 000003
【図２】
2009201807.tif 000004
【図３】
2009201807.tif 000005
【図４】
2009201807.tif 000006
【図５】
2009201807.tif 000007
【図６】
2009201807.tif 000008
【図７】
2009201807.tif 000009
【図８】
2009201807.tif 000010
【図９】
2009201807.tif 000011